(57)【要約】【課題】設計者の経験に左右されることなく、導線とコネクタ端子との接続設計を誰もが簡単に、かつ、短時間に行えるように支援することができる設計支援システムを提供する。【解決手段】スロット幅推定部８０が、板厚、ビーム幅、スロット深さ、ヤング率及び導体断面積とスロット幅との関係が予め学習され、板厚、ビーム幅、スロット深さ、ヤング率及び導体断面積の入力に応じてスロット幅を推定してスロット幅データとして生成する。圧接高さ推定部９０が、板厚、ビーム幅、スロット深さ、ヤング率、導体断面積及びスリット幅と圧接高さとの関係が予め学習され、板厚、ビーム幅、スロット深さ、ヤング率、導体断面積及びスリット幅と圧接高さの入力に応じて圧接高さを推定して圧接高さデータを生成する。圧接高さ推定部９０には、スロット幅推定部８０が推定したスロット幅が入力されている。【選択図】図１
2007183975.tif 000002
【特許請求の範囲】
【請求項１】
コネクタ端子に設けられたスロットに絶縁被覆で覆われた導線を圧入して接続するときの接続設計を支援するための設計支援システムであって、
前記コネクタ端子の板厚、ビーム幅、スロット深さ、ヤング率及び導体断面積と前記圧入前のスロット幅との関係が予め学習され、前記板厚、前記ビーム幅、前記スロット深さ、前記ヤング率及び前記導体断面積の入力に応じて前記スロット幅を推定してスロット幅データとして生成するスロット幅推定手段と、
前記板厚、前記ビーム幅、前記スロット深さ、前記ヤング率、前記導体断面積、前記スロット幅、素線径、素線本数及び被覆硬さと前記圧入後の前記スロットの付け根から前記導線中心までの高さである圧接高さとの関係が予め学習され、前記板厚、前記ビーム幅、前記スロット深さ、前記ヤング率、前記導体断面積、前記スロット幅、前記素線径、前記素線本数及び前記被覆硬さの入力に応じて前記圧接高さを推定して圧接高さデータとして生成する圧接高さ推定手段とを有し、
前記圧接高さ推定手段には、前記スロット幅推定手段が生成したスロット幅データが入力されている
ことを特徴とする設計支援システム。
【請求項２】
前記板厚、前記ビーム幅、前記スロット深さ、前記ヤング率、前記導体断面積、前記スロット幅、前記素線径、前記素線本数、前記被覆硬さ及び前記圧接高さと前記圧入後の前記導線にかかる荷重との関係が予め学習され、前記板厚、前記ビーム幅、前記スロット深さ、前記ヤング率、前記導体断面積、前記スロット幅、前記素線径、前記素線本数、前記被覆硬さ及び前記圧接高さの入力に応じて前記荷重を推定して荷重データとして生成する荷重推定手段をさらに有し、
前記荷重推定手段には、前記スロット幅推定手段が生成したスロット幅データ及び前記圧接高さ推定手段が生成した圧接高さデータが入力されている
ことを特徴とする請求項１に記載の設計支援システム。
【請求項３】
前記板厚、前記ビーム幅、前記スロット深さ、前記ヤング率、前記導体断面積、前記スロット幅、前記素線径、前記素線本数、前記被覆硬さ、前記圧接高さ及び前記荷重と前記圧入後の前記導線−前記コネクタ端子間の引抜力との関係が予め学習され、前記板厚、前記ビーム幅、前記スロット深さ、前記ヤング率、前記導体断面積、前記スロット幅、前記素線径、前記素線本数、前記被覆硬さ、前記圧接高さ及び前記荷重の入力に応じて前記引抜力を推定して引抜力データして生成する引抜力重推定手段をさらに有し、
前記引抜力重推定手段には、前記スロット幅推定手段が生成したスロット幅データ、前記圧接高さ推定手段が生成した圧接高さデータ及び前記荷重推定手段が生成した荷重データが入力される
ことを特徴とする請求項２に記載の設計支援システム。
【請求項４】
前記板厚、前記ビーム幅、前記スロット深さ、前記ヤング率、前記導体断面積、前記スロット幅、前記素線径、前記素線本数、前記被覆硬さ、前記圧接高さ及び前記荷重と前記圧入後の前記導線−前記コネクタ端子間の接触抵抗との関係が予め学習され、前記板厚、前記ビーム幅、前記スロット深さ、前記ヤング率、前記導体断面積、前記スロット幅、前記素線径、前記素線本数、前記被覆硬さ、前記圧接高さ及び前記荷重の入力に応じて前記接触抵抗を推定して接触抵抗データして生成する接触抵抗重推定手段をさらに有し、
前記接触抵抗重推定手段には、前記スロット幅推定手段が生成したスロット幅データ、前記圧接高さ推定手段が生成した圧接高さデータ及び前記荷重推定手段が生成した荷重データが入力される
ことを特徴とする請求項２又は３に記載の設計支援システム。
【請求項５】
前記スロット幅推定手段により生成されるスロット幅データと同等にスロット幅データを、手入力するための入力手段をさらに
備えたことを特徴とする請求項１〜４何れか１項に記載の設計支援システム。
【請求項６】
前記圧接高さ推定手段が生成した圧接高さデータの入力に応じて、前記圧接高さデータ及び当該圧接高さデータを中心とした所定範囲内に存在する所定数の離散値を、前記圧接高さデータとして、順次出力する順次出力手段をさらに備える
ことを特徴とする請求項１〜５何れか１項に記載の設計支援システム。
【請求項７】
前記スロット幅推定手段が生成したスロット幅データの入力に応じて、前記スロット幅データ及び当該スロット幅データを中心とした所定範囲内に存在する所定数の離散値を、前記スロット幅データとして、順次出力する順次出力手段を備える
ことを特徴とする請求項１〜６何れか１項に記載の設計支援システム。
【発明の詳細な説明】
【技術分野】
【０００１】
この発明は、設計支援システムに係わり、特に、導線とコネクタ端子との接続する際の設計支援システムに関する。
【背景技術】
【０００２】
従来から、導線とコネクタ端子とを電気的に接続する方法として、例えば、コネクタ端子に設けられたスロットに絶縁被覆に覆われた導線を圧入する方法がある。
【０００３】
上記圧入（圧接）による導線とコネクタ端子との接続方法について、以下説明する。圧入接続に用いられるコネクタ端子は、一般的に、図２に示すような構成になっている。同図に示すように、コネクタ端子１２は、一対の圧接刃を有する電気接続部１２Ｃを備えている（図２（ａ）は圧接刃が１つのものを示し、（ｂ）は圧接刃が２つのものを示す）。
【０００４】
上述した一対の圧接刃間には、スロット１２Ｄが形成され、このスロット幅Ｗが絶縁被膜１１Ｂに覆われた導線１１Ａの外径より狭く形成されている。上述したスロット１２Ｄに絶縁被膜１１Ｂで覆われた導線１１Ａを圧入すると、圧接刃により絶縁被膜１１Ｂが破られ、圧接刃と導線１１Ａが接触して、コネクタ端子１２と導線１１Ａとが接続される。
【０００５】
ところで、スロット幅Ｗを一定にしたときの上述した圧入後の圧接高さｌと、導線１１Ａ−コネクタ端子１２間の引抜力Ｆ2又は接触抵抗Ｒ21、Ｒ22（Ｒ21は接触抵抗の最大値、Ｒ22は接触抵抗の平均値）との関係は、図５（ａ）に示すようになる。また、圧接高さｌを一定にしたときの上述した圧入前のスロット幅Ｗと、圧入後の導線１１Ａ−コネクタ端子１２間の引抜力Ｆ2又は接触抵抗Ｒ21、Ｒ22との関係は、図５（ｂ）に示すようになる。
【０００６】
同図に示すように、引抜力Ｆ2は圧接高さｌ及びスロット幅Ｗに対して上に凸の非線形特性を有するため、圧接高さｌ及びスロット幅Ｗの一定範囲に対して使用可能な引抜力Ｆ2が存在することになる。同様に、接触抵抗Ｒ21、Ｒ22は圧接高さｌ及びスロット幅Ｗに対して右上がりの非線形特性を有するため、圧接高さｌ及びスロット幅Ｗの一定範囲に対して使用可能な接触抵抗Ｒ21、Ｒ22が存在することになる。
【０００７】
このような非線形特性を有する引抜力Ｆ2と接触抵抗Ｒ21、Ｒ22との関係から、引抜力Ｆ2及び接触抵抗Ｒ21、Ｒ22共に、使用可能とする圧接高さｌ及びスロット幅Ｗの範囲（図５中に示す「最適圧接高さ」「最適スロット幅」）が限定されることになる。
【０００８】
そこで、従来、例えば、新しい接続設計をする際、導線１１Ａ、コネクタ端子１２などの設計を行う。そして、この設計された導線１１Ａ、コネクタ端子１２を用いて、実際に、圧入接続を行った後、圧接高さｌやスロット幅Ｗ、引抜力Ｆ1や、接触抵抗Ｒ1などを計測して、最適な引抜力Ｆ1、接触抵抗Ｒ1となる圧接高さｌ又はスロット幅Ｗが得られるか否かといった評価が実行される。得られない場合は、また、新たに、導線１１Ａ、コネクタ端子１２などの設計を行った後、上述したことを繰り返し行う。
【発明の開示】
【発明が解決しようとする課題】
【０００９】
しかしながら、従来の導線−コネクタ端子の接続設計では、上述したように設計→実際に接続する→評価といったカットアンドトライを繰り返して最適なものを得る必要がある。このため、設計の経験があまりない者が上述した接続設計を行うと、希望のものを得るまで無駄な時間を費やすことが多くなり、設計期間が長くなったり、設計コストアップを招くという問題があった。
【００１０】
そこで、本発明は、上記のような問題点に着目し、設計者の経験に左右されることなく、導線とコネクタ端子との接続設計を誰もが簡単に、かつ、短時間に行えるように支援することができる設計支援システムを提供することを課題とする。
【課題を解決するための手段】
【００１１】
上記課題を解決するためになされた請求項１記載の発明は、コネクタ端子に設けられたスロットに絶縁被覆で覆われた導線を圧入して接続するときの接続設計を支援するための設計支援システムであって、前記コネクタ端子の板厚、ビーム幅、スロット深さ、ヤング率及び導体断面積と前記圧入前のスロット幅との関係が予め学習され、前記板厚、前記ビーム幅、前記スロット深さ、前記ヤング率及び前記導体断面積の入力に応じて前記スロット幅を推定してスロット幅データとして生成するスロット幅推定手段と、前記板厚、前記ビーム幅、前記スロット深さ、前記ヤング率、前記導体断面積、前記スロット幅、素線径、素線本数及び被覆硬さと前記圧入後の前記スロットの付け根から前記導線中心までの高さである圧接高さとの関係が予め学習され、前記板厚、前記ビーム幅、前記スロット深さ、前記ヤング率、前記導体断面積、前記スロット幅、前記素線径、前記素線本数及び前記被覆硬さの入力に応じて前記圧接高さを推定して圧接高さデータとして生成する圧接高さ推定手段とを有し、前記圧接高さ推定手段には、前記スロット幅推定手段が生成したスロット幅データが入力されていることを特徴とする設計支援システムに存する。
【００１２】
請求項１記載の発明によれば、スロット幅推定手段、圧接高さ推定手段が各々、圧入前のスロット幅、圧入後の圧接高さを推定することにより、実際に導線とコネクタとを接続しなくても、だいたいどれくらいのスロット幅及び圧接高さが得られるか設計者が把握することができる。しかも、スロット幅推定手段が生成したスロット幅データが、圧接高さ推定手段に入力されていることにより、設計者自身が、スロット幅を推定して圧接高さ推定手段に入力する必要がない。
【００１３】
請求項２記載の発明は、前記板厚、前記ビーム幅、前記スロット深さ、前記ヤング率、前記導体断面積、前記スロット幅、前記素線径、前記素線本数、前記被覆硬さ及び前記圧接高さと前記圧入後の前記導線にかかる荷重との関係が予め学習され、前記板厚、前記ビーム幅、前記スロット深さ、前記ヤング率、前記導体断面積、前記スロット幅、前記素線径、前記素線本数、前記被覆硬さ及び前記圧接高さの入力に応じて前記荷重を推定して荷重データとして生成する荷重推定手段をさらに有し、前記荷重推定手段には、前記スロット幅推定手段が生成したスロット幅データ及び前記圧接高さ推定手段が生成した圧接高さデータが入力されていることを特徴とする請求項１に記載の設計支援システムに存する。
【００１４】
請求項２記載の発明によれば、荷重推定手段が、圧入後の荷重を推定することにより、実際に導線とコネクタとを接続しなくても、だいたいどれくらいの荷重が得られるか設計者が把握することができる。しかも、スロット幅推定手段が生成したスロット幅データ及び圧接高さ推定手段が生成した圧接高さデータが、荷重推定手段に入力されていることにより、設計者自身が、スロット幅及び圧接高さを推定して荷重推定手段に入力する必要がない。
【００１５】
請求項３記載の発明は、前記板厚、前記ビーム幅、前記スロット深さ、前記ヤング率、前記導体断面積、前記スロット幅、前記素線径、前記素線本数、前記被覆硬さ、前記圧接高さ及び前記荷重と前記圧入後の前記導線−前記コネクタ端子間の引抜力との関係が予め学習され、前記板厚、前記ビーム幅、前記スロット深さ、前記ヤング率、前記導体断面積、前記スロット幅、前記素線径、前記素線本数、前記被覆硬さ、前記圧接高さ及び前記荷重の入力に応じて前記引抜力を推定して引抜力データして生成する引抜力重推定手段をさらに有し、前記引抜力重推定手段には、前記スロット幅推定手段が生成したスロット幅データ、前記圧接高さ推定手段が生成した圧接高さデータ及び前記荷重推定手段が生成した荷重データが入力されることを特徴とする請求項２に記載の設計支援システムに存する。
【００１６】
請求項３記載の発明によれば、引抜力推定手段が、圧入後の引抜力を推定することにより、実際に導線とコネクタとを接続しなくても、だいたいどれくらいの引抜力が得られるか設計者が把握することができる。しかも、スロット幅推定手段が生成したスロット幅データ、圧接高さ推定手段が生成した圧接高さデータ及び荷重推定手段が生成した荷重データが、引抜力推定手段に入力されていることにより、設計者自身が、スロット幅、圧接高さ及び荷重を推定して引抜力推定手段に入力する必要がない。
【００１７】
請求項４記載の発明は、前記板厚、前記ビーム幅、前記スロット深さ、前記ヤング率、前記導体断面積、前記スロット幅、前記素線径、前記素線本数、前記被覆硬さ、前記圧接高さ及び前記荷重と前記圧入後の前記導線−前記コネクタ端子間の接触抵抗との関係が予め学習され、前記板厚、前記ビーム幅、前記スロット深さ、前記ヤング率、前記導体断面積、前記スロット幅、前記素線径、前記素線本数、前記被覆硬さ、前記圧接高さ及び前記荷重の入力に応じて前記接触抵抗を推定して接触抵抗データして生成する接触抵抗重推定手段をさらに有し、前記接触抵抗重推定手段には、前記スロット幅推定手段が生成したスロット幅データ、前記圧接高さ推定手段が生成した圧接高さデータ及び前記荷重推定手段が生成した荷重データが入力されることを特徴とする請求項２又は３に記載の設計支援システムに存する。
【００１８】
請求項４記載の発明によれば、抵抗推定手段が、圧入後の接触抵抗を推定することにより、実際に導線とコネクタとを接続しなくても、だいたいどれくらいの接触抵抗が得られるか設計者が把握することができる。しかも、スロット幅推定手段が生成したスロット幅データ、圧接高さ推定手段が生成した圧接高さデータ及び荷重推定手段が生成した荷重データが、抵抗推定手段に入力されていることにより、設計者自身が、スロット幅、圧接高さ及び荷重を推定して抵抗推定手段に入力する必要がない。
【００１９】
請求項５記載の発明は、前記スロット幅推定手段により生成されるスロット幅データと同等にスロット幅データを、手入力するための入力手段をさらに備えたことを特徴とする請求項１〜４何れか１項に記載の設計支援システムに存する。
【００２０】
請求項５記載の発明によれば、入力手段を使って、スロット幅推定手段により生成されるスロット幅データと同等にスロット幅データを、手入力することができる。従って、手入力したスロット幅データを使って推定を行うことができる。
【００２１】
請求項６記載の発明は、前記圧接高さ推定手段が生成した圧接高さデータの入力に応じて、前記圧接高さデータ及び当該圧接高さデータを中心とした所定範囲内に存在する所定数の離散値を、前記圧接高さデータとして、順次出力する順次出力手段をさらに備えることを特徴とする請求項１〜５何れか１項に記載の設計支援システムに存する。
【００２２】
請求項６記載の発明によれば、圧接高さ推定手段が、順次出力手段を介して、圧接高さデータを、荷重推定手段、引抜力推定手段又は抵抗推定手段に対して入力すれば、圧接高さ推定手段が生成した圧接高さデータ及びその圧接高さデータを中心とした複数の離散値に対応する荷重、引抜力、接触抵抗を推定することができる。従って、設計者自身が、圧接高さ推定手段により生成された圧接高さデータを中心とした離散値を、荷重推定手段、引抜力推定手段又は抵抗推定手段に入力しなくても、順次出力手段が自動的に入力してくれる。
【００２３】
請求項７記載の発明は、前記スロット幅推定手段が生成したスロット幅データの入力に応じて、前記スロット幅データ及び当該スロット幅データを中心とした所定範囲内に存在する所定数の離散値を、前記スロット幅データとして、順次出力する順次出力手段を備えることを特徴とする請求項１〜６何れか１項に記載の設計支援システムに存する。
【００２４】
請求項７記載の発明によれば、スロット幅推定手段が、順次出力手段を介して、スロット幅データを、圧接高さ推定手段、荷重推定手段、引抜力推定手段又は抵抗推定手段に対して入力すれば、スロット幅推定手段が生成したスロット幅データ及びそのスロット幅データを中心とした複数の離散値に対応する圧接高さ、荷重、引抜力、接触抵抗を推定することができる。従って、設計者自身が、スロット幅推定手段により生成されたスロット幅データを中心とした離散値を、圧接高さ推定手段、荷重推定手段、引抜力推定手段又は抵抗推定手段に入力しなくても、順次出力手段が自動的に入力してくれる。
【発明の効果】
【００２５】
以上説明したように請求項１記載の発明によれば、スロット幅推定手段、圧接高さ推定手段が各々、圧入前のスロット幅、圧入後の圧接高さを推定することにより、実際に導線とコネクタとを接続しなくても、だいたいどれくらいのスロット幅及び圧接高さが得られるか設計者が把握することができる。しかも、スロット幅推定手段が生成したスロット幅データが、圧接高さ推定手段に入力されていることにより、設計者自身が、スロット幅を推定して圧接高さ推定手段に入力する必要がないので、設計者の経験に左右されることなく、導線とコネクタ端子との接続設計を誰もが、より一層簡単に、かつ、短時間に行えるように支援することができる設計支援システムを得ることができる。
【００２６】
請求項２記載の発明によれば、荷重推定手段が、圧入後の荷重を推定することにより、実際に導線とコネクタとを接続しなくても、だいたいどれくらいの荷重が得られるか設計者が把握することができる。しかも、スロット幅推定手段が生成したスロット幅データ及び圧接高さ推定手段が生成した圧接高さデータが、荷重推定手段に入力されていることにより、設計者自身が、スロット幅及び圧接高さを推定して荷重推定手段に入力する必要がないので、設計者の経験に左右されることなく、導線とコネクタ端子との接続設計を誰もが、より一層簡単に、かつ、短時間に行えるように支援することができる設計支援システムを得ることができる。
【００２７】
請求項３記載の発明によれば、引抜力推定手段が、圧入後の引抜力を推定することにより、実際に導線とコネクタとを接続しなくても、だいたいどれくらいの引抜力が得られるか設計者が把握することができる。しかも、スロット幅推定手段が生成したスロット幅データ、圧接高さ推定手段が生成した圧接高さデータ及び荷重推定手段が生成した荷重データが、引抜力推定手段に入力されていることにより、設計者自身が、スロット幅、圧接高さ及び荷重を推定して引抜力推定手段に入力する必要がないので、設計者の経験に左右されることなく、導線とコネクタ端子との接続設計を誰もが、より一層簡単に、かつ、短時間に行えるように支援することができる設計支援システムを得ることができる。
【００２８】
請求項４記載の発明によれば、抵抗推定手段が、圧入後の接触抵抗を推定することにより、実際に導線とコネクタとを接続しなくても、だいたいどれくらいの接触抵抗が得られるか設計者が把握することができる。しかも、スロット幅推定手段が生成したスロット幅データ、圧接高さ推定手段が生成した圧接高さデータ及び荷重推定手段が生成した荷重データが、抵抗推定手段に入力されていることにより、設計者自身が、スロット幅、圧接高さ及び荷重を推定して抵抗推定手段に入力する必要がないので、設計者の経験に左右されることなく、導線とコネクタ端子との接続設計を誰もが、より一層簡単に、かつ、短時間に行えるように支援することができる設計支援システムを得ることができる。
【００２９】
請求項５記載の発明によれば、手入力したスロット幅データを使って推定を行うことができるので、使い勝手の良い設計支援システムを得ることができる。
【００３０】
請求項６記載の発明によれば、設計者自身が、圧接高さ推定手段により生成された圧接高さデータを中心とした離散値を、荷重推定手段、引抜力推定手段又は抵抗推定手段に入力しなくても、順次出力手段が自動的に入力してくれるので、簡単に、より詳しい接続特性を得ることができる設計支援システムことができるを得ることができる。
【００３１】
請求項７記載の発明によれば、設計者自身が、スロット幅推定手段により生成されたスロット幅データを中心とした離散値を、圧接高さ推定手段、荷重推定手段、引抜力推定手段又は抵抗推定手段に入力しなくても、順次出力手段が自動的に入力してくれるので、簡単に、より詳しい接続特性を得ることができる設計支援システムことができるを得ることができる。
【発明を実施するための最良の形態】
【００３２】
以下、本発明の実施形態を図面に基づき、説明する。図１は、本発明の設計支援システム１０の実施形態を示す図である。設計支援システム１０は、図２に示すように、コネクタ端子１２に設けられたスロット１２Ｄに、絶縁被覆１１Ｂで覆われた導線１１Ａを圧入して接続する際、実際の圧入接続に先立ってスロット幅Ｗ、スロット１２Ｄの付け根Ｔから導線１１Ａ中心までの高さである圧接高さｌ、導線１１Ａにかかる圧入方向の圧接荷重、導線１１Ａ−コネクタ端子１２間の引抜力及び接触抵抗といった未知の接続設計に係る接続データを予め推定して接続設計を支援するためのシステムである。
【００３３】
同図に示すように、設計支援システム１０は、各々、多層フィードフォワード型ニューラルネットワークから構成されるスロット幅推定部８０（＝スロット幅推定手段）、圧接高さ推定部９０（＝圧接高さ推定手段）、荷重推定部１００（＝荷重推定手段）、引抜力推定部１１０（＝引抜力推定手段）及び抵抗推定部１２０（＝抵抗推定手段）を備えている。なお、引抜力推定部１１０と抵抗推定部１２０とは前後逆に配置しても良いし、また１つの多層フィードフォワード型ニューラルネットワークで構成しても良い。
【００３４】
同図に示すように、上記スロット幅推定部８０は、コネクタ端子１２の板厚を示す板厚データ１０ｌ、スロット１２Ｄのビーム幅ａを示すビーム幅データ１０ｍ、スロット深さｌ２を示すスロット深さデータ１０ｎ、スロット１２Ｄのヤング率を示すヤング率データ１０ｏ及び導線１１Ａの導体断面積を示す導体断面積データ１０ｐを既知接続データとし、これらの既知接続データと、この既知接続データに対するスロット幅Ｗ（＝未知接続データに相当）との関係が予め学習されている。
【００３５】
そして、スロット幅推定部８０は、上記学習結果に基づき、板厚データ１０ｌ、ビーム幅データ１０ｍ、スロット深さデータ１０ｎ、ヤング率データ１０ｏ及び導体断面積データ１０ｐの入力に応じて、これらのデータに対するスロット幅Ｗを推定して、スロット幅データ７０６ａを生成し、スロット幅設定部８１に対して出力する。スロット幅設定部８１は、上記入力されたスロット幅データ７０６ａをそのまま圧接高さ推定部９０に対して出力する。
【００３６】
また、スロット幅設定部８１は、入力手段として働き、設計者によりスロット幅データ７０６ａの入力があったとき、入力されたスロット幅データ７０６ａを圧接高さ推定部９０に対して出力することもできる。このスロット幅設定部８１により、スロット幅推定部８０が推定したスロット幅データ７０６ａだけでなく、設計者が入力したスロット幅データ７０９ａも、圧接高さ推定部９０に対して出力することができる。また、スロット幅推定部８０は、上記入力された板厚データ１０ｌ、ビーム幅データ１０ｍ、スロット深さデータ１０ｎ、ヤング率データ１０ｏ及び導体断面積データ１０ｐをそのまま圧接高さ推定部９０に対して出力する。
【００３７】
また、圧接高さ推定部９０は、板厚データ１０ｌ、ビーム幅データ１０ｍ、スロット深さデータ１０ｎ、ヤング率データ１０ｏ、導体断面積データ１０ｐ、スロット幅データ７０６ａ、導線１１Ａの素線径を示す素線径データ１０ｑ、素線本数を示す素線本数データ１０ｒ及び絶縁被覆１１Ｂの硬さを示す被覆硬さデータ１０ｓを既知接続データとし、これら既知接続データと、この既知接続データに対する圧接高さｌ（＝未知接続データに相当）との関係が予め学習されている。
【００３８】
そして、圧接高さ推定部９０は、上記学習結果に基づき、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ及び被覆硬さデータ１０ｓの入力に応じて、これらのデータに対する圧接高さｌを推定して、圧接高さデータ８０６ａを生成し、順次出力部１３０（＝順次出力手段）を介して、荷重推定部１００に対して出力する。
【００３９】
順次出力部１３０は、入力してきた圧接高さデータ８０６ａ及びこの圧接高さデータ８０６ａを含む所定範囲内にある所定数の離散値を、圧接高さデータ８０６ａとして、順次出力する。具体的には、順次出力部１３０は、図３に示すように、入力してきた圧接高さデータ８０６ａ及び９個の離散値、つまり、入力してきた圧接高さデータ８０６ａを含んだ計１０個の離散値が順次出力される。
【００４０】
図３から明らかなように、この場合、上記所定範囲が、−５ｐ〜＋４ｐに相当し、所定数が９に相当する。また、本実施形態では、順次出力部１３０は、入力された圧接高さデータ８０６ａに対して、等間隔ｐに離散している離散値を出力しているが、必ずしも等間隔である必要はない。
【００４１】
また、圧接高さ推定部９０は、上記入力された板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ及び被覆硬さデータ１０ｓをそのまま荷重推定部１００に対して出力する。
【００４２】
荷重推定部１００は、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ及び圧接高さデータ８０６ａを既知接続データとし、これら既知接続データと、この既知接続データに対する荷重（＝未知接続データに相当）との関係が予め学習されている。
【００４３】
そして、荷重推定部１００は、上記学習に基づき、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ及び圧接高さデータ８０６ａの入力に応じて、これらデータに対する荷重を推定して、荷重データ９０６ａを生成し、引抜力推定部１１０に対して出力する。
【００４４】
また、荷重推定部１００は、上記入力された板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ及び圧接高さデータ８０６ａをそのまま引抜力推定部１１０に対して出力する。
【００４５】
引抜力推定部１１０は、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａを既知接続データとし、これら既知接続データと、この既知接続データに対する引抜力（＝未知接続データ）との関係が予め学習されている。
【００４６】
そして、引抜力推定部１１０は、上記学習に基づき、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａの入力に応じて、これらデータに対する引抜力を推定して、引抜力データ１００６ａ、１００６ｂ（具体的には、１００６ａは、引抜力の平均値、１００６ｂは、引抜力の平均値−３σ（標準偏差））を生成する。
【００４７】
また、引抜力推定部１１０は、上記入力された板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａをそのまま抵抗推定部１２０に対して出力する。
【００４８】
抵抗推定部１２０は、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａを既知接続データとし、これら既知接続データと、この既知接続データに対する導線１１Ａ−コネクタ端子１２間の接触抵抗（＝未知接続データに相当）との関係が予め学習されている。
【００４９】
そして、抵抗推定部１２０は、上記学習に基づき、板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａの入力に応じて、これらデータに対する接触抵抗を推定して、接触抵抗データ１１０６ａ、１１０６ｂ（具体的には、１１０６ａは、接触抵抗の最大値、１１０６ｂは、接触抵抗の平均値）を生成する。また、抵抗推定部１２０は、入力された荷重データ９０６ａをそのまま出力する。
【００５０】
上述した各推定部は、図４に示すように、複数のニューロンから構成される層が、入力層１６Ａから中間層１６Ｂを介して出力層１６Ｃへ向かう方向に結合されている多層フィードフォワード型ニューラルネットワークから構成されている。
【００５１】
多層フィードフォワード型ニューラルネットワーク１６の入力層１６Ａを構成する各ニューロンは、入力される既知接続データの数に応じて一対一に対応させて設けられている。また、入力層１６Ａを構成する各ニューロンは、中間層１６Ｂを構成する全ニューロンの各々と結合され、中間層１６Ｂを構成する全ニューロンは、出力層１６Ｃを構成する全ニューロンの各々と結合されてなる。
【００５２】
上記入力層１６Ａ、中間層１６Ｂ及び出力層１６Ｃを構成する全ニューロンは、各ニューロンに入力されるデータに、上記学習によって決定された重みを付けて、出力することにより、上記推定を行っている。また、この多層フィードフォワード型ニューラルネットワーク１６における入力層１６Ａ−中間層１６Ｂ間の伝達関数及び中間層１６Ｂ−出力層１６Ｃ間の伝達関数は、タンジェントシグモイド関数である。これにより、学習時間が短くかつ学習精度の高い学習機能やニューロ演算機能を有する設計支援システム１０の構築が容易となる。
【００５３】
上述した構成の設計支援システム１０の動作について以下説明する。まず、設計者が図示しない入力装置を用いて板厚データ１０ｌ、ビーム幅データ１０ｍ、スロット深さデータ１０ｎ、ヤング率データ１０ｏ、導体断面積データ１０ｐ、素線径データ１０ｑ、素線本数データ１０ｒ及び被覆硬さデータ１０ｓを設計支援システム１０に入力する。
【００５４】
上記板厚データ１０ｌ、ビーム幅データ１０ｍ、スロット深さデータ１０ｎ、ヤング率データ１０ｏ、導体断面積データ１０ｐの入力に応じて、スロット幅推定部８０は、スロット幅Ｗを推定し、スロット幅データ７０６ａを生成して、スロット幅設定部８１を介して、圧接高さ推定部９０に対して出力する。さらに、スロット幅推定部８０は、入力されたビーム幅データ１０ｍ、スロット深さデータ１０ｎ、ヤング率データ１０ｏ、導体断面積データ１０ｐをそのまま圧接高さ推定部９０に対して出力する。
【００５５】
圧接高さ推定部９０は、スロット幅推定部８０からの板厚データ１０ｌ、ビーム幅データ１０ｍ、スロット深さデータ１０ｎ、ヤング率データ１０ｏ及び導体断面積データ１０ｐの入力、スロット幅設定部８１からのスロット幅データ７０６ａの入力、そして、入力装置を用いて入力された素線径データ１０ｑ、素線本数データ１０ｒ及び被覆硬さデータ１０ｓの入力に応じて、圧接高さｌを推定し、圧接高さデータ８０６ａを生成して、順次出力部１３０に対して出力する。
【００５６】
順次出力部１３０は、圧接高さデータ８０６ａの入力に応じて、図３に示すように、入力された圧接高さデータ８０６ａを含んだ計１０個の離散値を、圧接高さデータ８０６ａとして、順次、荷重推定部１００に対して出力する。一方、圧接高さ推定部９０は、入力された板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ及び被覆硬さデータ１０ｓをそのまま荷重推定部１００に対して出力する。
【００５７】
荷重推定部１００は、圧接高さ推定部９０からの板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ及び被覆硬さデータ１０ｓの入力、順次出力部１３０からの計１０個の圧接高さデータ８０６ａの入力に応じて、荷重を推定し、荷重データ９０６ａを生成して、引抜力推定部１１０に対して出力する。
【００５８】
上述したように、順次出力部１３０は、図３に示すような１０個の離散値を圧接高さデータ８０６ａとして荷重推定部１００に入力するため、荷重推定部１００は、各圧接高さデータ９０６ａに応じた１０個の荷重データ９０６ａを生成して、引抜力推定部１１０に対して出力する。
【００５９】
また、荷重推定部１００は、入力してきた板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ及び圧接高さデータ８０６ａをそのまま引抜力推定部１１０に対して出力する。
【００６０】
引抜力推定部１１０は、荷重推定部１００からの板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａの入力に応じて、引抜力を推定し、引抜力データ１００６ａ、１００６ｂを生成する。
【００６１】
上述したように、順次出力部１３０が、１０個の圧接高さデータ８０６ａを、荷重推定部１００を介して、引抜力推定部１１０に対して出力し、荷重推定部１００が、１０個の荷重データ９０６ａを、引抜力推定部１１０に対して出力するため、引抜力推定部１１０は、各圧接高さデータ８０６ａ及び荷重データ９０６ａに応じた１０個の引抜力データ１００６ａ、１００６ｂを出力する。
【００６２】
また、引抜力推定部１１０は、入力してきた板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａをそのまま抵抗推定部１２０に対して出力する。
【００６３】
抵抗推定部１２０は、引抜力推定部１１０からの板厚データ１０ｌ、ビーム幅データ１０ｍ、スロット深さデータ１０ｎ、ヤング率データ１０ｏ、導体断面積データ１０ｐ、スロット幅データ７０６ａ、素線径データ１０ｑ、素線本数データ１０ｒ、被覆硬さデータ１０ｓ、圧接高さデータ８０６ａ及び荷重データ９０６ａの入力に応じて、接触抵抗を推定し、接触抵抗データ１１０６ａ、１１０６ｂを生成して出力する。
【００６４】
上述したように、順次出力部１３０が、１０個の圧接高さデータ８０６ａを、荷重推定部１００及び引抜力推定部１１０を介して、抵抗推定部１２０に対して出力し、荷重推定部１００が、１０個の荷重データ９０６ａを、引抜力推定部１１０を介して、抵抗推定部１２０に対して出力するため、抵抗推定部１２０は、各圧接高さデータ８０６ａ及び荷重データ９０６ａに応じた１０個の接触抵抗データ１１０６ａ、１１０６ｂを出力する。
【００６５】
上述した設計支援システム１０によって推定された圧接高さデータ８０６ａを横軸とし、この圧接高さデータ８０６ａに対応して推定された引抜力データ１００６ａ、接触抵抗データ６０６ａ及び６０６ｂを縦軸としてグラフを描くと、例えば、図５（ａ）に示すような圧入（圧接）特性が得られる。
【００６６】
従って、新しい規格の接続設計が申告されたとき、その申告内容に基づいて導線１１Ａの導体断面積、素線径、素線本数、被覆硬さ、コネクタ端子１２の板厚ｔ、ビーム幅ａ、スロット深さｌ２、ヤング率の設計を行う。そして、この設計された導線１１Ａ、コネクタ端子１２を用いて、実際に、圧入（圧接）接続を行う前に、この設計支援システム１０によって、圧接高さｌや、荷重、引抜力、接触抵抗などが推定されるため、実際に圧入接続を行わなくても、だいたいどれくらいの、圧接高さｌや、荷重、引抜力、接触抵抗が得られるか設計者が把握することができる。
【００６７】
このため、設計者の経験に左右されることなく、導線１１Ａとコネクタ端子１２との接続設計を誰もが簡単に、かつ、短時間に行えるように支援することができる。
【００６８】
また、上述した設計支援システム１０によれば、スロット幅推定部８０が生成したスロット幅データ７０６ａが、圧接高さｌを推定するのに必要な既知接続データの少なくとも一部として圧接高さ推定部９０に入力されている。このため、設計者自身が、スロット幅Ｗを推定して、入力装置などを用いて圧接高さ推定部９０に入力する必要がなく、より一層、設計者の経験に左右されることなく、導線とコネクタ端子との接続設計を誰もが、より一層簡単に、かつ、短時間に行えるように支援することができる。
【００６９】
また、上述した設計支援システム１０によれば、スロット幅推定部８０が生成したスロット幅データ７０６ａ及び圧接高さ推定部９０が生成した圧接高さデータ８０６ａが、荷重を推定するのに必要な既知接続データの少なくとも一部として荷重推定部１００に入力されている。このため、設計者自身が、スロット幅Ｗ、圧接高さｌを推定して、入力装置などを用いて荷重推定部１００に入力する必要がなく、より一層、設計者の経験に左右されることなく、導線とコネクタ端子との接続設計を誰もが、より一層簡単に、かつ、短時間に行えるように支援することができる。
【００７０】
また、上述した設計支援システム１０によれば、スロット幅推定部８０が生成したスロット幅データ７０６ａ、圧接高さ推定部９０が生成した圧接高さデータ８０６ａ及び荷重推定部１００が生成した荷重データ９０６ａが、引抜力を推定するのに必要な既知接続データの少なくとも一部として引抜力推定部１１０に入力されている。このため、設計者自身が、スロット幅Ｗ、圧接高さｌ、荷重を推定して、入力装置などを用いて引抜力推定部１１０に入力する必要がなく、より一層、設計者の経験に左右されることなく、導線とコネクタ端子との接続設計を誰もが、より一層簡単に、かつ、短時間に行えるように支援することができる。
【００７１】
また、上述した設計支援システム１０によれば、スロット幅推定部８０が生成したスロット幅データ７０６ａ、圧接高さ推定部９０が生成した圧接高さデータ８０６ａ及び荷重推定部１００が生成した荷重データ９０６ａが、接触抵抗を推定するのに必要な既知接続データの少なくとも一部として抵抗推定部１２０に入力されている。このため、設計者自身が、スロット幅Ｗ、圧接高さｌ、荷重を推定して、入力装置などを用いて抵抗推定部１２０に入力する必要がなく、より一層、設計者の経験に左右されることなく、導線とコネクタ端子との接続設計を誰もが、より一層簡単に、かつ、短時間に行えるように支援することができる。
【００７２】
また、上述した設計支援システム１０によれば、順次出力部１３０が圧接高さデータ８０６ａの入力に応じて、自動的に１０個の離散値を圧接高さデータ８０６ａとして出力している。このため、設計者自身が、圧接高さ推定部９０により生成された圧接高さデータ８０６ａを中心とした離散値を、荷重推定部１００に入力しなくても、順次出力部１３０が自動的に入力してくれるので、簡単に、より詳しい接続特性を得ることができる。
【００７３】
なお、上述した実施形態では、順次出力部１３０は、圧接高さデータ８０６ａを順次出力するように配置されていた。しかしながら、順次出力部１３０を、スロット幅推定部８０と圧接高さ推定部９０との間に設け、スロット幅データ７０６ａの入力に応じて、順次出力部１３０が、自動的に入力してきたスロット幅データ７０６ａを含む１０個の離散値をスロット幅データ７０６ａとして出力することも考えられる。
【００７４】
以上のような構成の設計支援システム１０によって推定されたスロット幅データ７０６ａを横軸とし、このスロット幅データ７０６ａに対応して推定された引抜力データ１００６ａ、接触抵抗データ６０６ａ及び６０６ｂを縦軸としてグラフを描くと、例えば、図５（ｂ）に示すような圧入（圧接）特性が得られる。
【００７５】
また、順次出力部１３０は、上述したスロット幅データ７０６ａや、圧接高さデータ８０６ａを順次出力するものに限らず、必要であれば、荷重データ９０６ａを順次出力するようにしてもよい。
【図面の簡単な説明】
【００７６】
【図１】本発明の設計支援システムの実施形態を示す図である。
【図２】圧入（圧接）接続に用いるコネクタ端子１２の形状を示す斜視図である。
【図３】順次出力部１３０の出力を説明するための図である。
【図４】各推定部を構成するニューラルネットワーク１６を説明するための図である。
【図５】（ａ）は、圧入（圧接）接続を行った際の圧接高さｌ対引抜力及び接触抵抗の関係を示すグラフであり、（ｂ）は、圧入（圧接）接続を行った際のスロット幅Ｗ対引抜力及び接触抵抗の関係を示すグラフである。
【符号の説明】
【００７７】
１１Ａ  導線
１１Ｂ  絶縁被覆
１２    コネクタ端子
１２Ｄ  スロット
Ｗ      スロット幅
ｌ      圧接高さ
８０    スロット幅推定部（スロット幅推定手段）
８１    スロット幅設定部（入力手段）
９０    圧接高さ推定部（圧接高さ推定手段）
１００  荷重推定部（荷重推定手段）
１１０  引抜力推定部（引抜力推定手段）
１２０  抵抗推定部（抵抗推定手段）
１３０  順次出力部（順次出力手段）
【図１】
2007183975.tif 000003
【図２】
2007183975.tif 000004
【図３】
2007183975.tif 000005
【図４】
2007183975.tif 000006
【図５】
2007183975.tif 000007